(57)【要約】【課題】一つの基地局に集中することなく複数の基地局に分散して通信が行われる。【解決手段】第１の無線エリアを有する第１の基地局と、当該第１の無線エリア内に設置され当該第１エリアより狭い第２の無線エリアを有する第２の基地局と、いずれの基地局に無線接続可能な移動局と、から構成される無線通信システムでは、第１の基地局は、記移動局からの接続要求に対して無線通信チャネルを割り当て、移動局に対して当該割り当てた無線通信チャネルを示す情報を通知するとともに、当該割り当てた無線通信チャネルと同一タイミングで、所定の送信出力の無線信号を送信させる。【選択図】図１
2012010278.tif 000002
【特許請求の範囲】
【請求項１】
第１の無線エリアを有する第１の基地局と、当該第１の無線エリア内に設置され当該第１エリアより狭い第２の無線エリアを有する第２の基地局と、いずれの基地局に無線接続可能な移動局と、から構成される無線通信システムであって、
前記第１の基地局は、
前記移動局からの接続要求に対して無線通信チャネルを割り当て、前記移動局に対して当該割り当てた無線通信チャネルを示す情報を通知するとともに、当該割り当てた無線通信チャネルと同一タイミングで、所定の送信出力の無線信号を送信させる第１の制御部を備えることを特徴とする無線通信システム。
【請求項２】
前記所定の送信出力は、前記第１の無線エリア内に設置されている前記第２の基地局の数に応じて設定される、ことを特徴とする請求項１に記載の無線通信システム。
【請求項３】
前記移動局は、
前記第１の基地局から前記割り当てられた無線通信チャネルを示す情報を受信すると、当該無線通信チャネルに関するキャリアセンスを実行し、当該無線通信チャネルにおける電界レベルが規定レベル以上のときには前記第１の基地局との無線通信を拒否し、規定レベル未満のときには前記第１の基地局と無線通信を行うよう通信制御する第２の制御部を備えることを特徴とする請求項１または２に記載の無線通信システム。
【請求項４】
前記第２の基地局は、前記第１の基地局とネットワークを介して接続しており、
前記第２の基地局は、前記移動局からの接続要求に対し、当該移動局との無線通信環境に関する情報を取得し、取得した当該無線通信環境が予め設定されている条件を満たさない場合、前記移動局との無線通信を行い、当該条件を満たす場合、前記移動局との無線通信を行わない第３の制御部を備えることを特徴とする請求項１乃至３のいずれか一項に記載の無線通信システム。
【請求項５】
前記第２の基地局における第３の制御部は、前記無線通信環境に関する情報を、前記ネットワークを介して前記第１の基地局に送信し、
前記第１の基地局における前記第１の制御部は、
前記取得した前記無線通信環境が前記条件を満たす場合、その後の前記移動局からの接続要求に対して割り当てた無線通信チャネルに対する同一タイミングでの前記所定の送信出力の無線信号を送信しないことを特徴とする請求項４に記載の無線通信システム。
【請求項６】
前記第２の基地局における第３の制御部は、前記移動局からの接続要求が予め設定されている回数に到達した場合に、前記無線通信環境に関する情報を取得する、ことを特徴とする請求項４または５に記載の無線通信システム。
【請求項７】
第１の無線エリアを有する基地局と、当該第１の無線エリア内に設置され当該第１エリアより狭い第２の無線エリアを有する他基地局と、いずれの基地局に無線接続可能な移動局と、から構成される無線通信システムにおける第１の基地局であって、
前記移動局からの接続要求に対して無線通信チャネルを割り当て、前記移動局に対して当該割り当てた無線通信チャネルを示す情報を通知するとともに、当該割り当てた無線通信チャネルと同一タイミングで、所定の送信出力の無線信号を送信させる第１の制御部を備えることを特徴とする基地局。
【発明の詳細な説明】
【技術分野】
【０００１】
本発明は、一の基地局に移動局の接続を集中させることなく、複数の基地局に移動局の接続を分散させることができる無線通信システムに関する。
【背景技術】
【０００２】
半径数キロメートルのセル半径を有するマクロセル基地局と、半径数百メートルのセル半径を有するマイクロ基地局と、のいずれかに、移動局が接続する無線通信システムがある。このような無線通信システムでは、マクロセル基地局のサービスエリア内に、複数のマイクロ基地局が設置される。そして、マイクロ基地局のサービスエリア内にいる移動局は、マイクロ基地局に接続する。また、マクロセル基地局のサービスエリア内にいるが、マイクロ基地局のサービスエリアにいない移動局は、マクロ基地局に接続する。
【先行技術文献】
【特許文献】
【０００３】
【特許文献１】特開平８−１８６８６６号公報
【発明の概要】
【発明が解決しようとする課題】
【０００４】
しかしながら、上述のような無線通信システムでは、無線信号の送信出力は、基地局のセル半径に応じて設定されるため、マイクロ基地局よりもマクロ基地局からの無線信号の送信出力が大きくなる。そのため、移動局が基地局に接続する際、送信出力の大きいマクロ基地局の方が通信環境がよいと判断し、結果、マクロ基地局に接続が集中することになる。そのため、マクロ基地局への接続が集中するのを回避するため、特許文献１では、マクロ基地局が高トラフィックであると判断すると、このエリアに割当てられた周波数の一部を使用不可とすることで、このエリア内において複数のマイクロ基地局を使用されるようになる。
【０００５】
これは、マクロ基地局またはマイクロ基地局のいずれの基地局にも接続可能なときにはマイクロ基地局よりも電波強度が強いマクロ基地局に接続されることが多いため、マクロ基地局に接続が集中するためである。そこで、マクロ基地局が高トラフィックであると判断された場合にこのエリアに割当てられた周波数の一部を使用不可とすることにより移動局は、マイクロ基地局に接続するようになるので、このエリアにおいて複数のマイクロ基地局が使用されるようになる。
【０００６】
このように、この移動通信方式においてはマクロセル基地局にトラフィックが一局集中するため、転送速度等のシステムが備えている能力を十分に発揮させることができない。さらに、マクロセル基地局のカバーエリア内にあって、マイクロセル基地局のカバーエリア外にある移動局は、マクロセル基地局が高トラフィック状態で接続できないときにはいずれの基地局とも接続することができないという課題がある。
【０００７】
本発明は、このような課題に鑑みてなされたものであり、本発明の目的は、一の基地局に移動局の接続を集中させることなく、複数の基地局に移動局の接続を分散させる通信システムおよび無線基地局を提供することである。
【課題を解決するための手段】
【０００８】
上記目的を達成するため、本発明の無線通信システムは、第１の無線エリアを有する第１の基地局と、当該第１の無線エリア内に設置され当該第１エリアより狭い第２の無線エリアを有する第２の基地局と、いずれの基地局に無線接続可能な移動局と、から構成される無線通信システムであって、前記第１の基地局は、前記移動局からの接続要求に対して無線通信チャネルを割り当て、前記移動局に対して当該割り当てた無線通信チャネルを示す情報を通知するとともに、当該割り当てた無線通信チャネルと同一タイミングで、所定の送信出力の無線信号を送信させる第１の制御部を備えることを特徴とする。
【０００９】
また、前記所定の送信出力は、前記第１の無線エリア内に設置されている前記第２の基地局の数に応じて設定される、ことを特徴とする。
【００１０】
また、前記移動局は、前記第１の基地局から前記割り当てられた無線通信チャネルを示す情報を受信すると、当該無線通信チャネルに関するキャリアセンスを実行し、当該無線通信チャネルにおける電界レベルが規定レベル以上のときには前記第１の基地局との無線通信を拒否し、規定レベル未満のときには前記第１の基地局と無線通信を行うよう通信制御する第２の制御部を備えることを特徴とする。
【００１１】
前記第２の基地局は、前記第１の基地局とネットワークを介して接続しており、前記第２の基地局は、前記移動局からの接続要求に対し、当該移動局との無線通信環境に関する情報を取得し、取得した当該無線通信環境が予め設定されている条件を満たさない場合、前記移動局との無線通信を行い、当該条件を満たす場合、前記移動局との無線通信を行わない第３の制御部を備えることを特徴とする。
【００１２】
前記第２の基地局における第３の制御部は、前記無線通信環境に関する情報を、前記ネットワークを介して前記第１の基地局に送信し、前記第１の基地局における前記第１の制御部は、前記取得した前記無線通信環境が前記条件を満たす場合、その後の前記移動局からの接続要求に対して割り当てた無線通信チャネルに対する同一タイミングでの前記所定の送信出力の無線信号を送信しないことを特徴とする。
【００１３】
前記第２の基地局における第３の制御部は、前記移動局からの接続要求が予め設定されている回数に到達した場合に、前記無線通信環境に関する情報を取得する、ことを特徴とする。
【００１４】
第１の無線エリアを有する基地局と、当該第１の無線エリア内に設置され当該第１エリアより狭い第２の無線エリアを有する他基地局と、いずれの基地局に無線接続可能な移動局と、から構成される無線通信システムにおける第１の基地局であって、前記移動局からの接続要求に対して無線通信チャネルを割り当て、前記移動局に対して当該割り当てた無線通信チャネルを示す情報を通知するとともに、当該割り当てた無線通信チャネルと同一タイミングで、所定の送信出力の無線信号を送信させる第１の制御部を備えることを特徴とする。
【発明の効果】
【００１５】
本発明によれば、一の基地局に移動局の接続を集中させることなく、複数の基地局に移動局の接続を分散させることができる。
【図面の簡単な説明】
【００１６】
【図１】本発明の実施形態に係わる無線通信システムの構成を図である。
【図２】本発明の実施形態に係わるマクロセル基地局の構成を示すブロック図である。
【図３】本発明の実施形態に係わる移動局およびマイクロセル基地局の構成を示すブロック図である。
【図４】本発明の無線通信システムの通信チャネル接続シーケンスを示す図である。
【図５】本発明の無線通信システムにおける移動局における動作を説明したフローチャートである。
【図６】本発明の無線通信システムにおけるマクロセル基地局における動作を説明したフローチャートである。
【図７】本発明のマクロセル基地局の無線エリア内に設置されるマイクロセル基地局の設置台数と電波強度との対応関係を示す表である。
【図８】本発明の無線通信システムのマイクロセル基地局における動作を説明したフローチャートである。
【図９】本発明の無線通信システムのマクロ基地局における動作を説明したフローチャートである。
【発明を実施するための形態】
【００１７】
次に、図面を参照して、本発明の実施形態を説明する。
【００１８】
図１は本発明の実施形態に係る無線通信システムの構成を示す図である。図１に示すように、無線通信システム１は、マクロセル基地局１０と、マイクロセル基地局３０と、移動局２０と、から構成される。マクロセル基地局１０は、無線エリア１０Ａをカバーしている。マイクロセル基地局３０は、無線エリア３０Ａをカバーしている。また、マイクロセル基地局３０は、カバーする無線エリア３０Ａと、マクロセル基地局１０の無線エリア１０Ａとが重なるよう、主に無線エリア１０Ａ内に設置される。このように、マクロセル基地局１０と、マイクロセル基地局３０と、を重なる様に設置することで、図１の無線エリア１０Ｃのように、マイクロセル基地局３０はカバーできない無線エリアを、マクロセル基地局１０によってカバーできる。移動局２０は、マクロセル基地局１０、または、マイクロセル基地局３０のいずれかに無線接続することで無線通信を行う。
【００１９】
移動局２０は、無線通信を開始する際、各基地局から送信される無線信号の電波強度を比較し、いずれの基地局に接続するかを判断する。このとき、カバーする無線エリアが広い基地局の方が、一般的に、無線信号の送信出力が高い。そのため、図１に示すような無線通信システム１では、マクロセル基地局１０の方に無線接続が集中する。そこで、マクロセル基地局１０は、移動局２０のリンクチャネル割当要求（接続要求）に対し、割り当てる無線通信チャネルの関する情報を含むリンクチャネル割当情報を送信する際、所定の送信出力の無線信号を割り当てる無線通信チャネルと同一タイミングで所定の期間、送信する。ここで、所定の送信出力（電波強度）とは、マクロセル基地局１０から一定距離の範囲内に存在する移動局２０が、リンクチャネル割当情報受信後に、割り当てられた無線通信チャネルに対するキャリアセンスを行った際、干渉波レベルが高くてリンクチャネル割当を拒否する大きさの送信出力を意味する。
【００２０】
そのため、マクロセル基地局１０から一定距離の範囲内に存在する移動局２０は、リンクチャネル割当拒否を行うことになるマクロセル基地局１０よりも、マイクロセル基地局３０への無線接続を試みるようになる。これにより、マクロセル基地局１０への無線接続の集中を回避できる。なお、図１の接続不可エリア１０Ｂとは、マクロセル基地局１０からリンクチャネル割当情報を送信する際に同一タイミングで送信される所定の送信出力の無線信号の影響でマクロ基地局１０への接続ができないエリア、を意味する。
【００２１】
さらに、所定の送信出力（電波強度）は、マクロセル基地局１０の無線エリア１０Ａ内に存在するマイクロセル基地局３０の設置台数を考慮してもよい。図７に示すように、マクロセル基地局１０は、マイクロ基地局３０の設置台数が多いほど送信出力（電波強度）を大きくし、一方、設置台数が少ないほど送信出力（電波強度）を小さくしてもよい。無線エリア１０Ａ内のマイクロセル基地局３０の設置台数が多い場合、マイクロ基地局３０がカバーする無線エリア３０Ａが多く存在し、カバーされていないエリアは少ない。そのため、マクロセル基地局１０において、送信出力を大きく設定して無線エリア１０Ａを拡大することで、セルエッジ（図１に示す無線エリア１０Ｄ）に存在する、基地局に接続することが困難な移動局２０がマクロセル基地局１０に優先して無線接続できるようにすることができる。一方、無線エリア１０Ａ内のマイクロセル基地局３０の設置台数が少ない場合、マイクロ基地局３０がカバーするエリアも少なくなるため、マクロセル基地局１０において、送信出力（電波強度）を小さくすることで、マクロセル基地局１０との距離が比較的近いが、マイクロセル基地局３０がカバーしていないエリア（図１に示す無線エリア１０Ｃ）に存在する移動局２０もマクロセル基地局１０に接続できるようにすることができる。
【００２２】
図２は、本発明の実施形態に係るマクロセル基地局の構成を示すブロック図である。図２に示すように、マクロセル基地局１０は、アンテナ１１と、通信処理部１２と、信号処理部１３と、制御部１４と、を備える。
【００２３】
アンテナ１１は、移動局２０から送信された無線信号を受信し、一方、移動局２０に無線信号を送信する。アンテナ１１は、指向性を有する指向性アンテナ、指向性を有さない無指向性アンテナ、複数のアンテナによって構成されるアダプティブアレイアンテナ等がある。
【００２４】
通信処理部１２は、アンテナ１１を用いて無線信号の送信又は受信を行う。無線処理部１２は、受信系統（ＬＮＡ、ダウンコンバータ及びＡ／Ｄ変換器）及び送信系統（Ｄ／Ａ変換器、アップコンバータ及びパワーアンプ）などを有する。通信処理部１２は、信号送信時において、信号処理部１３からのベースバンド信号をアナログ信号に変換する。通信処理部１２は、当該アナログ信号をアップコンバート及び増幅して無線信号を生成し、生成した無線信号をアンテナ１１から送出する。また、通信処理部１２は、制御部１４からの指示に従って、無線信号の送信出力を制御する。
【００２５】
通信処理部１２は、信号受信時において、アンテナ１１からの無線信号を増幅、ダウンコンバート及びＡ／Ｄ変換することで、無線信号をベースバンド信号に変換する。当該ベースバンド信号は、信号処理部１３に入力される。
【００２６】
信号処理部１３は、信号受信時において、ベースバンド信号からユーザデータを復調するとともに、誤り訂正復号を行う。信号処理部１３は、信号送信時において、制御部１４から指示される変調クラスを用いて、ユーザデータを変調するとともに、誤り訂正符号化を行う。
【００２７】
制御部１４は、ＣＰＵの一機能として実現され、記憶部（図示しない）に記憶されるプログラムを用いて、マクロセル基地局１０の動作を制御する。制御部１４は、キャリアセンス部１４１と、チャネル割当部１４２と、通信制御部１４３と、を含む。
【００２８】
キャリアセンス処理部１４１は、無線通信チャネルのそれぞれにおける干渉の生じる可能性のある無線信号の信号電力を検出し、検出結果（キャリアセンス結果）をチャネル割当部１４２に出力する。  
【００２９】
チャネル割当部１４２は、キャリアセンス処理部１４１の検出結果に応じて、リンクチャネル割当要求を行った移動局２０に対して、無線通信チャネルを割り当てる。
【００３０】
通信制御部１４３は、移動局２０からのリンクチャネル割当要求に対して、チャネル割当部１４２が割り当てた無線通信チャネルの情報を含むリンクチャネル割当情報を、通信処理部１２を介して、移動局２０に送信する。また、通信処理部１２には移動局２０と無線通信を行う際の送信出力を指示し、信号処理部１３にはデータを送信する際の変調クラスを指示する。
【００３１】
また、通信制御部１４３は、チャネル割当部１４３がリンクチャネル割当要求に対して割り当てた無線通信チャネルと同一タイミングで所定の送信出力の無線信号を通信処理部１２に送信させる。なお、この所定の送信出力の無線信号は、割り当てた無線通信チャネルと同一周波数、または、隣接する周波数帯の無線通信チャネルが望ましい。
【００３２】
図３は、本発明の実施形態に係る移動局と、マイクロセル基地局と、の構成を示すブロック図である。図３（Ａ）に示すように、移動局２０は、アンテナ部２１と、送受信部２２と、ベースバンド処理部２３と、制御部２４と、入力部２５と、及び、キャリアセンス部２６と、を備える。制御部２４は、無線通信を開始する際、基地局に対してリンクチャネル割当要求を送信し、リンクチャネル割当情報を受信すると、キャリアセンス部２６に、割り当てられた無線通信チャネルのキャリアセンスを行わせ、キャリアセンス結果に応じて、基地局との無線通信を割り当てられた無線通信チャネルで行うか否かを判断する。なお、移動局２０は公知の構成であり、特にハードウエア及びソフトウエアを変更することなく、本特許の効果を奏することができる。
【００３３】
図３（Ｂ）に示すように、マイクロセル基地局３０は、アンテナ部３１と、通信処理部３２と、信号処理部３３と、制御部３４と、を備える。なお、アンテナ部３１と、通信処理部３２と、信号処理部３３と、については、マクロセル基地局１０と同様の構成のため、説明は省略する。
【００３４】
制御部３４は、ＣＰＵの一機能として実現され、記憶部（図示しない）に記憶されるプログラムを用いて、マクロセル基地局１０の動作を制御する。制御部１４は、無線通信チャネルのそれぞれにおける干渉の生じる可能性のある無線信号の信号電力を検出する。制御部１５は、検出結果（キャリアセンス結果）から、リンクチャネル割当要求を行った移動局２０に対して、無線通信チャネルを割り当てる。また、制御部１５は、割り当てた無線通信チャネルに関する情報を含むリンクチャネル割当情報を、通信処理部３２を介して、移動局２０に送信する。また、通信処理部１２には移動局２０と無線通信を行う際の送信出力を指示し、信号処理部１３にはデータを送信する際の変調クラスを指示する。
【００３５】
次に、図４を用い、移動局２０が、マクロセル基地局１０に接続し、無線通信を開始するまでの流れを説明する。図４は、移動局２０が、マクロセル基地局１０に無線接続して無線通信を開始するまでを示すシーケンス図である。移動局２０が無線通信を開始する際、リンクチャネル割当要求６１をマクロセル基地局１０に送出する。マクロセル基地局１０は、キャリアセンスを実行し、未使用の無線通信チャネルを移動局２０に割り当てる。マクロセル基地局１０は、割り当てた無線通信チャネルに関する情報をリンクチャネル割当情報６２として、移動局２０に送信する。また、マクロセル基地局１０は、所定の送信出力αで、割り当てた無線通信チャネルと同一タイミングで無線信号６０Ｂを出力する。移動局２０では、リンクチャネル割当情報６２を受信する。リンクチャネル割当情報６２を受信した移動局３０は、割り当てられた無線通信チャネルに関し、キャリアセンスを実行し、割り当てられた無線通信チャネルの電界レベルが規定レベル以上か否か判定する。電界レベルが規定レベル以上の場合、リンクチャネル割当要求６１をマクロセル基地局１０に再度送出する。一方、電界レベルが規定レベル未満であれば、無線通信チャネルは未使用と判断し、マクロセル基地局１０に対して、割り当てられた無線通信チャネルを使用した無線通信を開始する。
【００３６】
次に、図５を用い、移動局２０が、マクロセル基地局１０に接続し、無線通信を開始するまでの処理を説明する。図７は、移動局２０の無線通信を開始するまでの動作を示すフローチャート図である。移動局２０が無線通信を開始する際、リンクチャネル割当要求をマクロセル基地局１０に送出する（ステップＳ８０）。移動局２０は、リンクチャネル割当情報を受信する（ステップＳ８１）。リンクチャネル割当情報を受信した移動局３０は、割り当てられた無線通信チャネルに関し、キャリアセンスを実行し（ステップＳ８２）、割り当てられた無線通信チャネルの電界レベルが規定レベル未満か否か判定する（ステップＳ８３。電界レベルが規定レベル未満であれば、無線通信チャネルは未使用と判断し（ステップＳ８３Ｙｅｓに相当）、マクロセル基地局１０に対して、割り当てられた無線通信チャネルを使用した無線通信を開始し（ステップＳ８４）、処理を終了する。一方、電界レベルが規定レベル以上（ステップＳ８３Ｎｏに相当）の場合、リンクチャネル割当要求６１をマクロセル基地局１０に再度送出する。ここで、例えば、このリンクチャネル割当要求を所定回数に行ったとしても、マクロセル基地局１０に無線接続できない場合、このマクロセル基地局１０への無線接続処理を終了するとともに、他の基地局、つまり、マイクロセル基地局３０への無線接続を試みる。
【００３７】
次に、マクロセル基地局１０の処理を、図６のフローチャート図を用いて説明する。マクロセル基地局１０は、移動局２０からリンクチャネル割当要求を受信すると（ステップＳ９０）と、キャリアセンスを実行する（ステップＳ９１）。キャリアセンスの実行後、マクロセル基地局１０は、移動局２０に対して、無線通信チャネルを割り当てる（ステップＳ９２）。次に、マクロセル基地局１０は、移動局２０にリンクチャネル割当情報を送信する（ステップＳ９３）と同時に、割り当てた無線通信チャネルと同一タイミングで、所定の送信出力の無線信号を送信する（ステップＳ９４）。
【００３８】
次に、無線通信システム１における、移動局２０がマクロセル基地局１０に無線接続できなかった後の無線通信システム１における処理を図８、図９のフローチャートを用いて説明する。図８は、マイクロセル基地局３０の動作を示すフローチャートである。上述するマクロセル基地局１０に対する処理の結果、無線接続できないと、マイクロセル基地局３０がカバーする無線エリアにいる移動局２０は、そのマイクロセル基地局３０への無線接続を試み、マイクロセル基地局３０は、リンクチャネル要求を受信する（ステップＳ１０）。しかしながら、移動局２０とマイクロセル基地局３０との無線通信環境があまり良くない場合、移動局は、近隣にあるマイクロ基地局３０へのハンドオーバを試みる。このとき、ハンドオーバ先候補となるマイクロセル基地局３０の制御部３４は、ハンドオーバを要求した移動局２０が、ハンドオーバが予め設定されている設定回数（例えば、５回）に達しているかどうかを判定する（ステップＳ１１）。そして、移動局２０のハンドオーバ回数が設定回数未満の場合（ステップＳ１１Ｎｏに相当）、移動局２０は、マイクロセル基地局３０は、移動局２０の自身へのハンドオーバによる無線接続処理を行う（ステップＳ１２）。一方、ハンドオーバが設定回数以上５回以上の場合（ステップＳ１１Ｙｅｓに相当）、マイクロセル基地局３０の制御部３４は、移動局２０との間の無線通信環境、例えば、無線通信環境の一つを示すＲＳＳＩレベルや、受信タイミングに関する情報を取得するとともに、取得した情報を、マクロセル基地局１０にバックホール回線を介して送信する（ステップＳ１３）。マイクロセル基地局３０は、取得した情報から、そのＲＳＳＩレベルが０ｄＢμ以下や、受信タイミングが５シンボル以上ずれているかといった判定条件で判定する（ステップＳ１４）。判定の結果、いずれかの情報（または、ともに）が判定条件を満たす場合（ステップＳ１４Ｙｅｓに相当）、マイクロ基地局３０との接続よりもマクロセル基地局１０との無線接続処理を優先して行われるよう、当該移動局との無線通信を行わない（ステップＳ１５）。一方、判定条件を満たさない場合（ステップＳ１４Ｎｏに相当）、移動局２０はそのままマイクロセル基地局３０との接続を行う（ステップＳ１２）。
【００３９】
図９は、マクロセル基地局１０の動作を示すフローチャートである。マクロセル基地局１０は、マイクロセル基地局３０から情報を受信し（ステップＳ２０）、マクロセル基地局１０は、取得した情報から、そのＲＳＳＩレベルが０ｄＢμ以下や、受信タイミングが５シンボル以上ずれているかで判定する（ステップＳ２１）。判定の結果、いずれかの情報（または、ともに）が上述の判定条件を満たす場合（ステップＳ２１Ｙｅｓに相当）、マクロセル基地局１０は、予め判定条件を満たす移動局２０の識別ＩＤを記憶部（図示しない）に記憶しておく（ステップＳ２２）。一方、判定条件を満たさない場合（ステップＳ２１ＮＯに相当）、そのまま処理を終了する。そして、当該移動局２０からのリンクチャネル割当要求（ハンドオーバ要求）から受信すると（ステップＳ２３）、当該移動局２０に割り当てた無線通信チャネルを示すリンクチャネル割当情報を送信するとともに、このとき同一タイミングで所定の送信出力の無線信号を送信しない（ステップＳ２４）。これにより、移動局２０は、割り当てられた無線通信チャネルに対してキャリアセンスを実行しても、割当らてられた無線通信チャネルを未使用と判断できるので、割当てられた無線通信チャネルを使用して無線通信を行うことができる。これにより、高速で移動しながら無線通信を行っている移動局２０では、ハンドオーバを繰り返し行う必要がないので安定した無線通信を行うことができる。
【符号の説明】
【００４０】
１０…マクロセル基地局、２０…移動局、３０…マイクロセル基地局、１０Ａ…接続可能エリア、１０Ｂ…接続不可エリア、１１，２１，３１…アンテナ、１２，３２…通信処理部、１３，３３…信号処理部、１４…制御部、１４１…キャリアセンス部、１４２…チャネル割当部、１４３…通信制御部、２１…アンテナ、２２…送受信部、２３…ベースバンド処理部、２４…制御部、２５…ユーザインフェース部、２６…キャリアセンス部、３４…制御部。
【図１】
2012010278.tif 000003
【図２】
2012010278.tif 000004
【図３】
2012010278.tif 000005
【図４】
2012010278.tif 000006
【図５】
2012010278.tif 000007
【図６】
2012010278.tif 000008
【図７】
2012010278.tif 000009
【図８】
2012010278.tif 000010
【図９】
2012010278.tif 000011